(57)【特許請求の範囲】
【請求項１】
イジェクト部材の押し込み操作でＩＣメモリーカードを排出するＩＣメモリーカード取扱機において、
１回目に操作部を押し込むとその押し込み位置で前記操作部がロックされ、２回目に前記操作部を押し込むと前記操作部の押し込みロックが解除されて押し出されるプッシュ・プッシュタイプのスイッチ部材と、
前記イジェクト部材の操作を妨げるブロック位置と操作を許容するアンブロック位置とに切り換え移動されるロック部材と、
前記スイッチ部材の操作部に当接し、その操作部の切り換えに連動して前記ロック部材を前記ブロック位置と前記アンブロック位置とに移動させるように、前記ロック部材の一端側に設けられたカム手段と
を備えたことを特徴とするＩＣメモリーカード取扱機におけるイジェクト・ロック装置。
【請求項２】
前記ロック部材を前記アンブロック位置方向に常に付勢しているバネ部材を設けた請求項１に記載のＩＣメモリーカード取扱機におけるイジェクト・ロック装置。
【請求項３】
押し込み操作するとＩＣメモリーカードを排出することができるイジェクト用部材の前記押し込み操作を妨げるブロック位置と前記押し込み操作を許容することができるアンブロック位置とに切り換え移動可能なロック部材を設けるとともに、
前記ロック部材の一端側に、電源の投入・切断の切り換えを行うスイッチ部材の操作部に当接するカム手段を設け、
前記スイッチ部材が電源を投入するように前記操作部が操作されると、その操作に連動して前記ロック部材が前記ブロック位置に移動し、前記スイッチ部材が電源を断つように前記操作部が操作されると、その操作に連動して前記ロック部材が前記アンブロック位置に切り換え移動するようにしたことを特徴とするＩＣメモリーカード取扱機におけるイジェクト・ロック方法。
【請求項４】
前記ロック部材を前記アンブロック位置方向にバネ部材で常に付勢しておくようにした請求項３に記載のＩＣメモリーカード取扱機におけるイジェクト・ロック方法。
【発明の詳細な説明】
【０００１】
【発明の属する技術分野】
本発明は、例えば情報処理機器等に搭載されるＩＣメモリーカード取扱機におけるイジェクト・ロック装置及び方法に関するものである。
【０００２】
【従来の技術】
情報処理機器等で使用されるＩＣメモリーカードは、所定の位置でコネクタに差し込まれて取り付けられており、取り外す場合には、一般に、イジェクトボタンを押して排出する構造になっている。しかしながら、ＩＣメモリーカードの動作状態で排出されると、カード内の情報を破壊する虞がある。このため、従来のイジェクト機構では、ＩＣメモリーカードの動作中における排出を防止するのに、イジェクト・ロック装置を設けたものもある。
【０００３】
図５及び図６は従来のイジェクト・ロック装置の一例を示すもので、図５はその平面図、図６はその正面図である。
図５及び図６において、符号５１はＩＣメモリーカードである。５２はＩＣメモリーカード５１が差し込まれるカードコネクタ部で、図５中の矢印７０方向にＩＣメモリーカードを抜き差し可能で、また図示していないが奥にはＩＣメモリーカード５１の端子と電気結合されるコネクタが取り付けられている。
【０００４】
５３はイジェクト用の回動部材で、この回動部材５３は枢軸５４を介してカードコネクタ部５２に回動可能に取り付けられている。また、この回動部材５３の一端５３ａはＩＣメモリーカード５１の移動通路内に突出され、他端５３ｂはカードコネクタ部５２の側面に突出されている。
【０００５】
５５はイジェクト用のスライド操作部材で、このスライド操作部材５５はカードコネクタ部５２のガイド部５２ａにより前後方向スライド自在に保持されている。また、一端（前面側）５５ａ側にはイジェクトボタン５６が取り付けられ、他端５５ｂはカードコネクタ部５２の背面側まで延ばされている。さらに、スライド部材５５の中間部分には回動部材５３の他端５３ｂと対応して段差５５ｃが設けられ、この段差５５ｃが回動部材５３の他端５３ｂと当接結合可能な状態になっている。
【０００６】
５７はソレノイドで、スライド操作部材５５のスライド領域内とスライド領域外とに移動可能なストッパー６０（図６参照）を先端に取り付けられているプランジャー５８と、このプランジャー５８を上記スライド領域外の方向に移動付勢している復帰用バネ部材５９を備えており、ソレノイド５７に通電するとプランジャー５８を上記スライド領域内にバネ部材５９の付勢に抗して突出させておくことができる。
【０００７】
図７はイジェクト・ロック装置の回路ブロック図である。この回路構成では、上記ソレノイド５７の他に、電源６１、スイッチ６２、コントロール回路部６３を備えている。
【０００８】
次に、このように構成されたイジェクト・ロック装置の動作を説明する。まず、ＩＣメモリーカード５１がカードコネクタ部５２に差し込まれると、その途中でメモリーカード５１の先端に回動部材５３の一端５３ａが当接される。さらに差し込むと、回動部材５３が図５中の時計回り方向に枢軸５４を支点として回転し、同時にスライド操作部材５５を前側に押し出す。最終位置では、ＩＣメモリーカード５１は図示せぬコネクタに電気接続される。
次いで、電源６１用のスイッチ６２がオンされると、コントロール回路部６３に電流が流されるとともにソレノイド５７にも電流が流れ、プランジャー５８がＸ１（図６参照）の距離突出し、ストッパー６０がスライド操作部材５５の後部を遮る。これにより、イジェクトボタン５６を介してスライド操作部材５５を後方へ押し込もうとしても、先端がストッパー６０と衝突して押し込むことができない。すなわち、イジェクト・ロック状態となる。図５及び図６は、このイジェクト・ロック状態で示している。
【０００９】
一方、ＩＣメモリーカード５１をイジェクトする場合は、スイッチ６２をオフする。すると、コントロール回路部６３への給電が断たれると同時に、ソレノイド５７への給電も断たれる。すると、復帰用バネ部材５９の力により、プランジャー５８がストッパー６０と共に上記スライド領域外に移動される。すなわち、図６中のＸ１の距離だけ戻る。
次いで、イジェクトボタン５６を押すと、スライド操作部材５５は後方に押すことができる。また、スライド操作部材５５が後方に移動されるとき、回動部材５３の他端側が押され、枢軸５４を支点として回動部材５３を図５中の反時計回り方向に回転させる。そして、スライド操作部材５５は図５中のＸ２の距離押すことができ、これに伴う回動部材５３の回転で、この回動部材５３の一端５３ａ側でＩＣメモリーカード５１の先端側がイジェクト方向（前側）に押され、ＩＣメモリーカード５１が途中まで排出される。また、この後は、人手により引き出される。
【００１０】
【発明が解決しようとする課題】
しかしながら、上述した従来のイジェクト・ロック装置では、ＩＣメモリーカード５１を動作させているコントロール回路部６３に給電している間、ソレノイド５７への給電を続けている構成になっている。このため、長時間使用しているとソレノイド５７が発熱するので、この周辺実装部品についても耐熱性を高める必要があるので設計が難しく、また高価な部品を使用する必要があることから、コストが高くなっている問題点があった。また、電源６１として電池等を用いている場合には、ソレノイド５７の消費電力も含めた大容量の電源を必要とし、機器の小型化や軽量化の妨げともなっていた。
【００１１】
本発明は、上記問題点に鑑みてなされたものであり、その目的は機器の小型化や軽量化を実現することが可能なＩＣメモリーカード取扱機におけるイジェクト・ロック装置及び方法を提供することにある。
【００１２】
【課題を解決するための手段】
上記目的を達成するため本発明のＩＣメモリーカード取扱機におけるイジェクト・ロック装置は、１回目に操作部を押し込むとその押し込み位置で前記操作部がロックされ、２回目に前記操作部を押し込むと前記操作部の押し込みロックが解除されて押し出されるプッシュ・プッシュタイプのスイッチ部材と、前記イジェクト部材の操作を妨げるブロック位置と操作を許容するアンブロック位置とに切り換え移動されるロック部材と、前記スイッチ部材の操作部に当接し、その操作部の切り換えに連動して前記ロック部材を前記ブロック位置と前記アンブロック位置とに移動させるように、前記ロック部材の一端側に設けられたカム手段とを備えてなる構成としたものである。
【００１３】
上記目的を達成するため本発明のＩＣメモリーカード取扱機におけるイジェクト・ロック方法は、押し込み操作するとＩＣメモリーカードを排出することができるイジェクト用部材の前記押し込み操作を妨げるブロック位置と前記押し込み操作を許容することができるアンブロック位置とに切り換え移動可能なロック部材を設けるとともに、前記ロック部材の一端側に、電源の投入・切断の切り換えを行うスイッチ部材の操作部に当接するカム手段を設け、前記スイッチ部材が電源を投入するように前記操作部が操作されると、その操作に連動して前記ロック部材が前記ブロック位置に移動し、前記スイッチ部材が電源を断つように前記操作部が操作されると、その操作に連動して前記ロック部材が前記アンブロック位置に切り換え移動するようにしたものである。
【００１４】
本発明によれば、カム手段を介してスイッチ部材の操作部とロック部材とが連動するので、従来装置で使用しているような電力消費をするソレノイドは使わず、スイッチ部材の操作部のオン・オフの位置切り換えでＩＣメモリーカードのイジェクト可否を制御することができる。
【００１５】
【発明の実施の形態】
図１乃至図３は本発明に係るＩＣメモリーカード取扱機におけるイジェクト・ロック装置の一形態例を示すもので、図１はその装置の全体構成をイジェク・トロック状態で概略的に示す上面図、図２はその装置の全体構成をイジェクト操作状態で概略的に示す上面図、図３はその装置の全体構成を正面側より見て概略的に示す図である。
【００１６】
図１乃至図３において、符号１はＩＣメモリーカードである。２はＩＣメモリーカード１が差し込まれるカードコネクタ部で、フロントパネル２０の背面に取り付けられている。また、フロントパネル２０にはＩＣメモリーカード１をカードコネクタ部２内に抜き差しするためのカード挿入口２１（図３参照）が設けられている。さらに、図示しないが、カードコネクタ部２の奥にはＩＣメモリーカードの端子と電気結合されるコネクタが取り付けられている。
【００１７】
３はイジェクト用の回動部材で、この回動部材３は枢軸４を介してカードコネクタ部２に回動可能に取り付けられている。この回動部材３の一端３ａはＩＣメモリーカード１の移動通路内に突出され、他端３ｂはカードコネクタ部２の側面に突出されている。
【００１８】
５はイジェクト用のスライド操作部材で、このスライド操作部材５はカードコネクタ部２のガイド部２ａにより前後方向スライド自在に保持されている。また、一端（前面側）５ａ側にはイジェクトボタン６が取り付けられ、他端５ｂは可動部材３の背面側まで延ばされている。さらに、スライド部材５の中間部分には回動部材３の他端３ｂと対応して段差５ｃが設けられ、この段差５ｃが回動部材３の他端３ｂと当接結合可能な状態になっている。
また、イジェクトボタン６はフロントパネル２０のイジェクトボタン用孔（不図示）を通ってフロントパネル２０の前側に突出されており、フロントパネル２０の背面側における上面には、イジェクト・ロック軸２２が上方に突出された状態にして植設されている。
【００１９】
７はカードコネクタ部２を挟んでスライド操作部材５と反対側に設けたスイッチ部材である。このスイッチ部材７はフロントパネル２０の内側にブラケット２３を介して固定されており、操作ボタン７Ａがフロントパネル２０の操作ボタン用孔２４を通ってフロントパネル２０の前側に突出されている。また、ここでのスイッチ部材７は、操作ボタン７Ａを前後方向に押すことによってオン・オフの切り換えがきるもので、操作ボタン７Ａを１回押し込んで離すと僅かに戻ってオンになるとともに、その押し込み位置でロックでき、前に僅かに戻された分だけ再度押し込んで離すと大きく初期位置まで戻されてオフになる一連の動作を伴う、いわゆる一般にプッシュ・プッシュスイッチとして知られるスイッチ部材を使用する。
【００２０】
２５は板状をしたロック部材で、このロック部材２５はフロントパネル２０のすぐ背面側で、カードコネクタ部２の上方に横たえて配置されている。また、ロック部材２５の一端側には後方に向かうに従って序々に突き出す状態の傾斜面として成るカム面２５Ａが形成され、他端側にはイジェクト・ロック軸２２に対応させてロック用溝２６が形成されている。さらに、ロック部材２５の中間には左右方向に細長く延びている状態にして長孔２７が形成されており、この長孔２７にフロントパネル２０に固定されているガイド２８から延ばしているピン２９が貫通されている。加えて、ロック部材２５の上面にはピン３０が固定して取り付けられており、またピン３０とピン２９との間に復帰用スプリング３１が張設されている。そして、この復帰用スプリング３１のバネ力でロック部材２５がスイッチ部材２側に付勢され、カム面２５Ａがスイッチ部材７の操作ボタン７Ａの背面エッジ部７ａと常に当接された状態で保持されている。なお、符号３４はロック部材２５のスライドをガイドするためのガイド部で、このガイド部３４はフロントパネル２０に形成されている。
【００２１】
図４はイジェクト・ロック装置の回路ブロック図である。この回路構成では、スイッチ部材７でオン・オフ切り換えされるスイッチ（７）の他に、電源３２、コントロール回路部３３を備えている。
【００２２】
次に、このように構成されたイジェクト・ロック装置の動作を説明する。まず、ＩＣメモリーカード１がカードコネクタ部２に差し込まれると、この途中でメモリーカード１の先端に回動部材３の一端３ａが当接される。さらに差し込むと、回動部材３が図２中の時計回り方向に枢軸４を支点として回転し、同時にスライド操作部材５を前側に押し出す。また、最終位置では、ＩＣメモリーカード１は図示せぬコネクタに電気接続される。
次いで、スイッチ部材７の操作ボタン７Ａを押し込む。すると、この操作ボタン７Ａの押し込みに連動して、この操作ボタン７Ａとカム面２５Ａとでカム結合されているロック部材２５が復帰用スプリング３１のバネ力に抗してイジェクトボタン６側にＸ４（図２参照）の距離だけ移動し、ロック用溝２６内にイジェクト・ロック軸２２が割り込んだ状態、すなわち「ブロック位置」に配置される。また、操作ボタン７ＡをＸ３（図１参照）の距離だけ押し込んだら押し込みを解く。すると、操作ボタン７Ａが僅かに戻されてスイッチ（７）がオンになり、その押し込み位置でロックされる。これにより、コントロール回路部３３に電流が流される。そして、この状態でイジェクトボタン６を押そうとしても、ロック用溝２６に割り込んでいるイジェクト・ロック軸２２がロック部材２５とぶつかり押し込むことができない。これにより、ＩＣメモリーカード１の動作状態時におけるイジェクトを防止することができる。図１は、この状態を示している。
【００２３】
一方、ＩＣメモリーカード１をイジェクトする場合は、まず操作ボタン７Ａを再び押して離す。すると操作ボタン７Ａが初期位置まで戻り、スイッチ（７）がオフされ、コントロール回路部３３への給電が断たれる。また、操作ボタン７Ａが戻されるときに、これに連動してロック部材２５が復帰用スプリング３１のバネ力で操作ボタン７Ａ側に移動し、Ｘ４（図２参照）の距離だけ戻される。これにより、イジェクト・ロック軸２２は、ロック用溝２６より抜け出た状態になる。
次いで、イジェクトボタン６を押すと、イジェクト・ロック軸２２がロック部材２５にぶつかることなくスライド操作部材５を後方に押すことができる。また、スライド操作部材５が後方に移動されるとき、回動部材３の他端側が押され、枢軸４を支点として回動部材３を図２中の反時計回り方向に回転させる。そして、スライド操作部材５は図２中のＸ５の距離押すことができ、これに伴う回動部材３の回転で、この回動部材３の一端３ａ側でＩＣメモリーカード１の先端側がイジェクト方向（前側）に押され、これによりＩＣメモリーカード１が途中まで排出される。また、この後は、人手により引き出される。
したがって、このイジェクト・ロック装置によれば、従来装置で使用しているような電力消費をするソレノイドは使わず、スイッチ部材７を介してスイッチ（７）のオン・オフの位置切り換え操作でＩＣメモリーカード１のイジェクト可否を制御することができる。
【００２４】
なお、上記形態例では、スライド操作部材５とイジェクトボタン６を別の部材で形成した構造を開示したが一体に形成しても差し支えないものである。また、イジェクト機構自体は、この構造以外の構造であっても差し支えないものである。
【００２５】
【発明の効果】
以上説明したとおり、本発明によれば、従来装置で使用しているような電力消費をするソレノイドは使わず、スイッチのオン・オフの位置切り換えでＩＣメモリーカードのイジェクト可否を制御することができる。したがって、従来装置で考慮していた耐熱性部品等を用いる必要もなくなり、安価な部品が使用でき、また設計も簡単になり、コストを下げて安価に提供することができる。さらに、電源として電池等を用いている場合でも、イジェクト・ロック用の消費電力を考慮しなくても良いので小容量の電源で済み、機器の小型化や軽量化が可能になる、等の効果が期待できる。
【図面の簡単な説明】
【図１】本発明の一形態例として示すイジェクト・ロック装置の概略全体構成図である。
【図２】本発明の形態例装置の概略全体構成図である。
【図３】本発明の形態例装置の全体構成を正面側より見て概略的に示す図である。
【図４】本発明の形態例装置の回路ブロック図である。
【図５】従来装置の一例を示す概略全体構成図である。
【図６】従来装置の全体構成を正面側より見て概略的に示す図である。
【図７】従来装置の回路ブロック図である。
【符号の説明】
１  ＩＣメモリーカード
２    カードコネクタ部
３    イジェクト用の回動部材
５    イジェクト用のスライド操作部材
６    イジェクトボタン
７    スイッチ部材
７Ａ  操作ボタン（操作部）
２５  ロック部材
２５Ａ  カム面
【図１】
0003615611.tif 000002
【図２】
0003615611.tif 000003
【図３】
0003615611.tif 000004
【図４】
0003615611.tif 000005
【図５】
0003615611.tif 000006
【図６】
0003615611.tif 000007
【図７】
0003615611.tif 000008